(57)【要約】【課題】キャビネット本体の高さ調整が簡単且つ確実に行われ、床面に設置固定されるベースを介して同キャビネット本体は強固に安定状態で固定される自立型キャビネットを提供する。【解決手段】床面Ｆに設置固定されるベース１と、ベース１上に載置されてネジ固定されるキャビネット本体２と、を備えた自立型キャビネットであり、ベース１上にてキャビネット本体２の高さ調整を行うアジャスタボルト３を有し、アジャスタボルト３で高さ調整が行われて、キャビネット本体２はその底部４がベース１に対して引き付けられるよう直接にネジ固定されるものである。【選択図】          図１
2004173721.tif 000002
【特許請求の範囲】
【請求項１】
床面に設置固定されるベースと、このベース上に載置されてネジ固定されるキャビネット本体と、を備えた自立型キャビネットであって、ベース上にてキャビネット本体の高さ調整を行うアジャスタボルトを有し、このアジャスタボルトで高さ調整が行われて、同キャビネット本体はその底部が同ベースに対して引き付けられるよう直接にネジ固定されるものである自立型キャビネット。
【請求項２】
キャビネット本体の底部に螺合されて上下進退動作自在なアジャスタボルトを垂設し、このアジャスタボルトの下端部をベース上に当接支持させて、同アジャスタボルトの螺合進退動作により高さ調整が行われるようになしたことを特徴とする請求項１記載の自立型キャビネット。
【請求項３】
キャビネット本体の矩形状の底部四角部分にアジャスタボルトを配設し、各アジャスタボルトの下端部を矩形台輪状のベースの四角部分上に当接支持させたことを特徴とする請求項２記載の自立型キャビネット。
【請求項４】
ベースの四角部分の上面にアジャスタボルトの下端部を位置決めして当接支持させる凹段部を形成したことを特徴とする請求項３記載の自立型キャビネット。
【請求項５】
キャビネット本体の底部に螺合されるアジャスタボルトの同螺合部位よりも上側、下側各々に、このアジャスタボルトと一体的に回動されてこれを螺合進退動作させる略ナット形状の操作部を配設形成し、上側の操作部を同キャビネット本体の内部に現出させると共に、下側の操作部を外側方へ開放される凹段部の内部に現出させたことを特徴とする請求項４記載の自立型キャビネット。
【請求項６】
凹段部の外側にこの凹段部の開放部分を覆い塞ぐカバー部材を着脱自在に係着したことを特徴とする請求項５記載の自立型キャビネット。
【請求項７】
ベース上に載置されるキャビネット本体を同ベースに凹段部の周辺近傍位置にてボルトとナットとでネジ固定したことを特徴とする請求項４〜６のいずれか一つに記載の自立型キャビネット。
【請求項８】
アジャスタボルトの下端部をゴム材で形成し、この下端部を同アジャスタボルトに対して水平方向回動自在となしたことを特徴とする請求項２〜７のいずれか一つに記載の自立型キャビネット。
【発明の詳細な説明】
【０００１】
【発明の属する技術分野】
本発明は、床面に設置固定されるベース上にキャビネット本体が載置されてネジ固定される自立型キャビネットに関するものである。
【０００２】
【従来の技術】
一般に、自立型キャビネットとしては、図５に示すタイプのものと、図６に示すタイプのものとがある。図５に示すタイプの自立型キャビネットでは、床面Ｆに設置固定されるベース１と、このベース１上に載置されてネジ固定されるキャビネット本体２と、を備えている。又、図６に示すタイプの自立型キャビネットでは、前記ベース１を備えておらず、キャビネット本体２の底部４に螺合されて上下進退動作自在なアジャスタボルト３が垂設され、このアジャスタボルト３を介して床面Ｆに設置される。
【０００３】
図５、６に示すいずれの自立型キャビネットにあっても、キャビネット本体２は前方に開口した縦長状の箱型で、その前方開口部分に開閉自在な扉板１７が付設されており、床面Ｆ上に自立的に設置されるものである。そして、図５に示した自立型キャビネットでは、床面Ｆ上に設置されたベース１がアンカーボルト１５で同床面Ｆに固定され、このベース１上に載置されたキャビネット本体２は、その底部４が同ベース１に固着ボルト２６で結合されることでネジ固定される。
【０００４】
この場合、ベース１をアンカーボルト１５で床面Ｆに固定する際に、ライナー等の薄板片をこのベース１と床面Ｆとの間に挿入介在させて同ベース１の水平出しを行い、更に、キャビネット本体２を同ベース１上に載置した後にも、最終的にライナー等の薄板片を用いて水平出しを行っており、その水平出し調整作業に手間取るという問題があった。特に、キャビネット本体２をベース１上に載置した後、このベース１と床面Ｆとの間に薄板片を挿入介在させるには、同ベース１をその下側にバール等を差し込んでキャビネット本体２と共に持ち上げなければならず、同ベース１に変形や傷つき等も発生し、水平出し調整作業が極めて困難となるものであった。
【０００５】
すなわち、図５に示した自立型キャビネットにあっては、ベース１を床面Ｆにアンカーボルト１５で固定し、このベース１上に載置されるキャビネット本体２を固着ボルト２６でネジ固定することにより、同床面Ｆに対して強固に設置固定できるものであるが、この床面Ｆの不陸や同キャビネット本体２の底部４の歪み等によって、このキャビネット本体２は傾き易いものであり、この傾きを修正するための前記水平出し調整作業が困難となるものであった。そして、キャビネット本体２がサーバー機器を組み込むための情報ラック等である場合には、ベース１が床面Ｆとなるシステムフロアー内に埋設されることがあって、前記薄板片を用いた水平出し調整作業は特に困難となる。
【０００６】
他方、図６に示した自立型キャビネットでは、キャビネット本体２の底部４が矩形状でその四角部分にアジャスタボルト３は配設され、各アジャスタボルト３を螺合進退動作させることによって、床面Ｆに不陸があるような場合でも、簡単に同キャビネット本体２の傾き修正作業は行われる。この場合、床面Ｆには各アジャスタボルト３の下端が直接に当接され、この下端と同床面Ｆとの間に生じる摩擦抵抗力だけで、キャビネット本体２は保持固定されることになり、このキャビネット本体２はずれ動き易く地震等の際に転倒する恐れもあって、強固に固定されないという問題があった。
【０００７】
又、アジャスタを具備したキャビネットの固定構造として、実開昭６０−３７２７６号公報（公報の第６図）に示されるようなものも知られている。このものは、図７に示す如く、床面に設置固定されるベース１と、このベース１上に載置されるキャビネット本体２と、を備えており、ベース１上にてキャビネット本体２の高さ調整を行うアジャスタボルト３を有し、このアジャスタボルト３で高さ調整が行われて、Ｌ型の固定金具２８により同アジャスタボルト３は固定されるものである。
【０００８】
この場合、キャビネット本体２の底部４に固定ナット２１が固着されて、この固定ナット２１に螺合されるアジャスタボルト３の下端部５はベース１上に当接支持され、このアジャスタボルト３を回動操作することにより、同キャビネット本体２の傾き修正作業がその高さ調整と共に行われる。又、アジャスタボルト３の中程には鍔付ナット２７が螺合されていて、この鍔付ナット２７に係合される固定金具２８で同アジャスタボルト３はベース１に固定される。ここでは、固定金具２８に穿設された貫通孔２９に上方から固定ボルト３０が挿通されて、この固定ボルト３０がベース１に螺合挿入されることにより、同固定金具２８でアジャスタボルト３は固定される。
【０００９】
それ故、アジャスタボルト３を螺合進退動作させることで、容易に水平出し調整作業を行うことができ、しかも、同アジャスタボルト３が固定金具２８でベース１に固定されて、キャビネット本体２は比較的強固に固定される。又、固定金具２８が鍔付ナット２７に係合されることで、アジャスタボルト３の螺合進退動作によるその突出寸法変化に対応することもできる。
【００１０】
しかしながら、この場合、キャビネット本体２の底部４とベース１とがアジャスタボルト３のみで結合されるだけで、その結合強度は十分でなく、同キャビネット本体２が振れ動きがたつき易くて安定状態では固定されないという問題があった。しかも、ベース１に対してはアジャスタボルト３の下端部５が固定金具２８で押圧当接されるだけで、キャビネット本体２は同ベース１上でずれ動き易いという問題もあった。又、アジャスタボルト３とキャビネット本体２の底部４との螺合部位（固定ナット２１の部分）では、このキャビネット本体２が振れ動きがたつくことで、その螺合締め付け状態は緩み易く、同アジャスタボルト３が回動して確実には高さ調整されないという問題があった。
【００１１】
【特許文献１】
実開昭６０−３７２７６号公報
【００１２】
【発明が解決しようとする課題】
本発明は、上記従来の技術における問題を悉く解決するために発明されたもので、その課題は、キャビネット本体の高さ調整が簡単且つ確実に行われ、床面に設置固定されるベースを介して同キャビネット本体は強固に安定状態で固定される自立型キャビネットを提供することである。
【００１３】
【課題を解決するための手段】
本発明の請求項１記載の自立型キャビネットは、床面に設置固定されるベースと、このベース上に載置されてネジ固定されるキャビネット本体と、を備えた自立型キャビネットであって、ベース上にてキャビネット本体の高さ調整を行うアジャスタボルトを有し、このアジャスタボルトで高さ調整が行われて、同キャビネット本体はその底部が同ベースに対して引き付けられるよう直接にネジ固定されるものである。
【００１４】
したがって、この場合、アジャスタボルトでキャビネット本体の高さ調整を簡単に行うことができ、しかも、高さ調整が行われた同キャビネット本体は、その底部がベースに対して引き付けられるよう直接にネジ固定されるため、強固に安定状態で固定され、同アジャスタボルトの螺合部位での緩みも防止されて確実に高さ調整されるものとなる。
【００１５】
すなわち、床面に設置固定されるベースに対しキャビネット本体の底部が、アジャスタボルトと別に直接にネジ固定されるため、両者は相互にずれ動かないよう強固に結合されて、同キャビネット本体が振れ動きがたつくことはなく、安定状態で固定される。しかも、キャビネット本体の底部がベースに対して引き付けられるようネジ固定されることで、両者の間でアジャスタボルトは押圧挟持される状態となり、その螺合部位での緩みが防止されて、高さ調整された同キャビネット本体はその高さ位置で確実に支持される。
【００１６】
本発明の請求項２記載の自立型キャビネットは、上記請求項１記載の自立型キャビネットにおいて、キャビネット本体の底部に螺合されて上下進退動作自在なアジャスタボルトを垂設し、このアジャスタボルトの下端部をベース上に当接支持させて、同アジャスタボルトの螺合進退動作により高さ調整が行われるようになしたことを特徴とするものである。
【００１７】
したがって、この場合は特に、キャビネット本体の底部に螺合されたアジャスタボルトを螺合進退動作させることにより、簡単にその高さ調整を行うことができ、しかも、同アジャスタボルトの下端部はベース上に当接支持され、この当接支持部位での摩擦抵抗力が、同キャビネット本体の底部が同ベースに対し引き付けられるようネジ固定されることで増大されて、このキャビネット本体のずれ動きは確実に防止される。
【００１８】
本発明の請求項３記載の自立型キャビネットは、上記請求項２記載の自立型キャビネットにおいて、キャビネット本体の矩形状の底部四角部分にアジャスタボルトを配設し、各アジャスタボルトの下端部を矩形台輪状のベースの四角部分上に当接支持させたことを特徴とするものである。
【００１９】
したがって、この場合は特に、キャビネット本体の矩形状の底部四角部分に配設された各アジャスタボルトにより、このキャビネット本体はその傾き修正が行われて確実に支持され、矩形台輪状のベース上に同キャビネット本体は違和感なく外観良好に納まるよう設置固定される。
【００２０】
本発明の請求項４記載の自立型キャビネットは、上記請求項３記載の自立型キャビネットにおいて、ベースの四角部分の上面にアジャスタボルトの下端部を位置決めして当接支持させる凹段部を形成したことを特徴とするものである。
【００２１】
したがって、この場合は特に、ベースの四角部分の上面に形成された凹段部で各アジャスタボルトの下端部が位置決めして当接支持されるので、各アジャスタボルトの下端部は同凹段部に納まり、キャビネット本体の底部と同ベースとの隙間を小さく抑えることができて納まり外観はより良好となり、しかも、このキャビネット本体を同ベース上の所定の位置に正確且つ簡単に載置固定することができる。
【００２２】
本発明の請求項５記載の自立型キャビネットは、上記請求項４記載の自立型キャビネットにおいて、キャビネット本体の底部に螺合されるアジャスタボルトの同螺合部位よりも上側、下側各々に、このアジャスタボルトと一体的に回動されてこれを螺合進退動作させる略ナット形状の操作部を配設形成し、上側の操作部を同キャビネット本体の内部に現出させると共に、下側の操作部を外側方へ開放される凹段部の内部に現出させたことを特徴とするものである。
【００２３】
したがって、この場合は特に、アジャスタボルトの上側の操作部を回動させてキャビネット本体の内部から、或いは、同アジャスタボルトの下側の操作部を回動させてベース上の凹段部の外側方から、の上下内外どちらからでも、簡単に高さ調整作業を行うことができて使い勝手は良好となる。
【００２４】
本発明の請求項６記載の自立型キャビネットは、上記請求項５記載の自立型キャビネットにおいて、凹段部の外側にこの凹段部の開放部分を覆い塞ぐカバー部材を着脱自在に係着したことを特徴とするものである。
【００２５】
したがって、この場合は特に、凹段部の外側方の開放部分がカバー部材で覆い塞がれて、アジャスタボルトの露出部分は隠し納められ、納まり外観がより良好となり、同カバー部材を着脱させて容易に高さ調整作業を行うこともできる。
【００２６】
本発明の請求項７記載の自立型キャビネットは、上記請求項４〜６のいずれか一つに記載の自立型キャビネットにおいて、ベース上に載置されるキャビネット本体を同ベースに凹段部の周辺近傍位置にてボルトとナットとでネジ固定したことを特徴とするものである。
【００２７】
したがって、この場合は特に、ベース上に載置されるキャビネット本体が凹段部の周辺近傍位置でボルトとナットとによりネジ固定されて、同ベースとキャビネット本体の底部とは相互に近接状態で強固に結合され、両者の間でアジャスタボルトが強く押圧挟持されて、その螺合部位での緩みも確実に防止される。
【００２８】
本発明の請求項８記載の自立型キャビネットは、上記請求項２〜７のいずれか一つに記載の自立型キャビネットにおいて、アジャスタボルトの下端部をゴム材で形成し、この下端部を同アジャスタボルトに対して水平方向回動自在となしたことを特徴とするものである。
【００２９】
したがって、この場合は特に、アジャスタボルトの下端部がゴム材で形成されるので、キャビネット本体とベースとの間での電気絶縁性は保持され、ゴム材により摩擦抵抗力が増大されて、同アジャスタボルトの下端部のずれ動きも確実に防止され、しかも、この下端部は同アジャスタボルトに対して水平方向回動自在となるので、当接支持状態にあっても支障なくこのアジャスタボルトを螺合進退動作させて高さ調整作業を行うことができる。
【００３０】
【発明の実施の形態】
図１〜４は、本発明の請求項１〜８全てに対応した一実施形態である自立型キャビネットを示している。この実施形態の自立型キャビネットは、床面Ｆに設置固定されるベース１と、このベース１上に載置されてネジ固定されるキャビネット本体２と、を備えている。そして、ベース１上にてキャビネット本体２の高さ調整を行うアジャスタボルト３を有し、このアジャスタボルト３で高さ調整が行われて、同キャビネット本体２はその底部４が同ベース１に対して引き付けられるよう直接にネジ固定されるものである。
【００３１】
又、この実施形態の自立型キャビネットでは、キャビネット本体２の底部４に螺合されて上下進退動作自在なアジャスタボルト３を垂設し、このアジャスタボルト３の下端部５をベース１上に当接支持させて、同アジャスタボルト３の螺合進退動作により高さ調整が行われるようになしている。この場合には、キャビネット本体２の矩形状の底部四角部分にアジャスタボルト３を配設し、各アジャスタボルト３の下端部５を矩形台輪状のベース１の四角部分上に当接支持させており、このベース１の四角部分の上面に同アジャスタボルト３の下端部５を位置決めして当接支持させる凹段部６を形成してもいる。
【００３２】
又、この実施形態の自立型キャビネットでは、キャビネット本体２の底部４に螺合されるアジャスタボルト３の同螺合部位よりも上側、下側各々に、このアジャスタボルト３と一体的に回動されてこれを螺合進退動作させる略ナット形状の操作部７を配設形成し、上側の操作部７を同キャビネット本体２の内部に現出させると共に、下側の操作部７を外側方へ開放される凹段部６の内部に現出させている。この場合、凹段部６の外側にこの凹段部６の開放部分を覆い塞ぐカバー部材８を着脱自在に係着している。
【００３３】
又、この実施形態の自立型キャビネットでは、ベース１上に載置されるキャビネット本体２を同ベース１に凹段部６の周辺近傍位置にてボルト９とナット１０とでネジ固定している。更に、又、アジャスタボルト３の下端部５をゴム材で形成し、この下端部５を同アジャスタボルト３に対して水平方向回動自在となしてもいる。
【００３４】
以下、この実施形態の自立型キャビネットを、より具体的に説明する。床面Ｆに設置固定されるベース１は金属製の枠体であり、Ｃ型チャンネル材を内側に開口する向きとして、図２に示す如く、矩形状に枠組み結合したものである。図１に示す如く、ベース１はＣ型チャンネル材で形成され、上片部１１と下片部１２とこの両者間の中縦片部１３とを有している。ベース１の下片部１２には下孔１４が穿設され、この下孔１４に上方から挿通されるアンカーボルト１５によって、同ベース１はコンクリートスラブ等でなる床面Ｆに強固に固定される。
【００３５】
又、矩形枠状のベース１の四角部分各々における上片部１１の上面には凹段部６が配設形成されており、この凹段部６はアジャスタボルト３の下端部５が適合する形状で、その下側には補強型材１６が配置されている。補強型材１６は断面コ字状の金属製型材で、ベース１の下片部１２と中縦片部１３と凹段部６の底片部分とで囲まれるスペース内に嵌着固定され、同凹段部６の底片部分上に当接されるアジャスタボルト３の下端部５を介して付加されるキャビネット本体２等の重量を補強して支持するものである。
【００３６】
キャビネット本体２は、図３に示す如く、前方に開口した縦長状の箱型で金属板にて形成され、その前方開口部分に開閉自在な扉板１７が付設されており、床面Ｆにアンカーボルト１５で設置固定される前記ベース１上に載置されネジ固定されて、同床面Ｆ上に自立的に設置されるものである。そして、キャビネット本体２の底部４の内側隅部分には、図１に示す如く、断面略Ｌ字状の金属製型材１８が固着され、この金属製型材１８は、図２に示す如く、同キャビネット本体２の両側に沿って配設されている。
【００３７】
図１に示す如く、前記金属製型材１８は横片部１８ａと縦片部１８ｂとでなり、同横片部１８ａ及びキャビネット本体２の底部４に連続して貫通したアジャシタ用孔１９と固定用孔２０とが穿設されている。ここで、アジャスタ用孔１９は前記ベース１の凹段部６に対応してその上側に、固定用孔２０は同凹段部６の側方で近接する位置に、各々配置形成されている。そして、アジャスタ用孔１９の上側には金属製型材１８の横片部１８ａの上面に固定ナット２１が溶接固着されて、この固定ナット２１に螺合されるアジャスタボルト３の下端部５は前記ベース１の凹段部６の底片部分上に当接支持され、このアジャスタボルト３を回動操作することにより、キャビネット本体２の傾き修正作業がその高さ調整と共に行われる。
【００３８】
この場合、アジャスタボルト３の上部には上ナット７ａと下ナット７ｂとが相互に押圧状態で螺合されることで操作部７として固定されており、この操作部７をキャビネット本体２の内部から回動操作することで、同アジャスタボルト３は上下方向に螺合進退動作される。又、アシジャスタボルト３の下端部５の上側にはボルト頭となる操作部７が一体に形成されており、この操作部７を前記ベース１の凹段部６の外側方に開放された部分から回動操作することでも、同アジャスタボルト３は上下方向に螺合進退動作される。
【００３９】
ここでは、アジャスタボルト３の下端部５が係止凸部２２で水平方向回動自在に結合されていて、この下端部５を凹段部６の底片部分上に当接支持させた状態でも、支障なく同アジャスタボルト３は回動される。又、アジャスタボルト３の下端部５は、上側の金属製の硬質部５ａと下側のゴム材でなる軟質部５ｂとで形成されており、この軟質部５ｂの下端面が凹段部６の底片部分の上面に密接状態でずれ動かないように当接され、同硬質部５ａでは係止凸部２２が水平方向回動自在に嵌合接続されている。
【００４０】
そして、前記アジャスタボルト３の螺合進退動作による高さ調整作業を終えた段階で、前記金属製型材１８の横片部１８ａ及びキャビネット本体２の底部４に連続して貫通した固定用孔２０においてネジ固定作業が行われる。この場合、ベース１の上片部１１の凹段部６近傍位置にはキャビネット本体２側の固定用孔２０と連続する固定受け孔２３が穿設されており、この固定用孔２０及び固定受け孔２３には上方からボルト９が挿通され、このボルト９の下部に螺合されるナット１０を同ベース１の上片部１１の下面に押圧させることで、このベース１の上片部１１と同キャビネット本体２の底部４とは強固に挟着固定される。
【００４１】
この場合に、アジャスタボルト３の固定ナット２１との螺合部位より下側の部分は、この螺合部位と前記ベース１の凹段部６の底片部分との間で上下に押圧挟持される状態となり、同螺合部位での緩みが防止されて、前記高さ調整されたキャビネット本体２はその高さ位置で確実に支持され、同アジャスタボルト３の下端部５のずれ動きも確実に防止される。又、ボルト９の座金２４として電気絶縁性を有するものを使用すると、前記アジャスタボルト３の下端部５（軟質部５ｂ）が電気絶縁性を有するゴム材で形成されていることもあって、キャビネット本体２とベース１との間での電気絶縁性は確保される。
【００４２】
又、前記ボルト９とナット１０とによるネジ固定作業を終えた段階で、凹段部６の外側にこの凹段部６の開放部分を覆い塞ぐカバー部材８が着脱自在に係着される。カバー部材８は合成樹脂でなり、図４に示す如く、略Ｌ字状に形成されてその裏側に上下対の係止片２５が一体に突設され、図１に示す如く、同上下の係止片２５を凹段部６の底片部分とキャビネット本体２の底部４との間に発生する間隙に挿入係止させることで、同凹段部６の開放された外側方部分を覆い塞ぐよう着脱自在に係着される。
【００４３】
したがって、この実施形態の自立型キャビネットにおいては、アジャスタボルト３を螺合進退動作させることでキャビネット本体２の高さ調整を簡単に行うことができ、しかも、高さ調整が行われた同キャビネット本体２は、その底部４がボルト９とナット１０とによりベース１に対して下方へ引き付けられるよう直接にネジ固定されるため、強固に安定状態で固定され、同アジャスタボルト３の固定ナット２１における螺合部位での回動による緩みも防止されて確実に高さ調整されるものとなる。
【００４４】
すなわち、床面Ｆに設置固定されるベース１に対しキャビネット本体２の底部４が、アジャスタボルト３とは別にボルト９とナット１０とで直接にネジ固定されるため、両者が相互にずれ動かないよう強固に結合されて、同キャビネット本体２は振れ動きがたつくことがなく、安定した状態で固定される。しかも、キャビネット本体２の底部４がベース１に対して下方へ引き付けられるようにネジ固定されることで、両者の間でアジャスタボルト３は押圧挟持される状態となり、その固定ナット２１との螺合部位における緩みが防止されて、高さ調整された同キャビネット本体２はその調整された高さ位置で確実に支持される。
【００４５】
又、ここでは、キャビネット本体２の底部４の固定ナット２１に螺合されたアジャスタボルト３を回動させて螺合進退動作させることにより、簡単にその高さ調整を行うことができ、しかも、同アジャスタボルト３の下端部５はベース１上に当接支持され、この当接支持部位での摩擦抵抗力が、同キャビネット本体２の底部４が同ベース１に対し下方へ引き付けられるようネジ固定されることで増大されて、このキャビネット本体２のずれ動きは確実に防止される。
【００４６】
更に、この実施形態の自立型キャビネットにおいては、キャビネット本体２の矩形状の底部四角部分に配設された各アジャスタボルト３により、このキャビネット本体２はその傾き修正が行われて確実に支持され、矩形台輪状のベース１上に同キャビネット本体２は違和感なく外観良好に納まるよう設置固定される。しかも、この場合、ベース１の四角部分の上面に形成された凹段部６で各アジャスタボルト３の下端部５が位置決めして当接支持されるので、各アジャスタボルト３の下端部５は同凹段部６に納まり、キャビネット本体２の底部４と同ベース１との隙間を小さく抑えることができて納まり外観はより良好となり、しかも、このキャビネット本体２を同ベース１上の所定の位置にずれ動きなく正確且つ簡単に載置固定することができる。
【００４７】
又、この実施形態の自立型キャビネットにおいては、アジャスタボルト３の上側の操作部７（上ナット７ａ、下ナット７ｂ）を回動させてキャビネット本体２の内部から、或いは、同アジャスタボルト３の下側の操作部７を回動させてベース１上の凹段部６の開放された外側方から、の上下内外どちらからでも、簡単に高さ調整作業を行うことができて使い勝手は良好である。しかも、凹段部６の外側方の開放部分がカバー部材８で覆い塞がれて、アジャスタボルト３の同凹段部６で露出する下端部５は隠し納められ、納まり外観がより良好となり、同カバー部材８を着脱させて容易に高さ調整作業を行うこともできる。
【００４８】
又、この実施形態の自立型キャビネットにおいては、ベース１上に載置されるキャビネット本体２が凹段部６の周辺近傍位置でボルト９とナット１０とによりネジ固定されて、同ベース１とキャビネット本体２の底部４とは相互に近接状態で強固に結合され、両者の間でアジャスタボルト３が強く押圧挟持されて、その螺合部位での緩みも確実に防止される。
【００４９】
更に、又、アジャスタボルト３の下端部５がゴム材（軟質部５ｂ）で形成されるので、キャビネット本体２とベース１との間での電気絶縁性は保持され、ゴム材により摩擦抵抗力が増大されて、同アジャスタボルト３の下端部５のずれ動きも確実に防止され、しかも、この下端部５は同アジャスタボルト３に対して水平方向回動自在となるので、当接支持状態にあっても支障なくこのアジャスタボルト３を回動させ螺合進退動作させて高さ調整作業を行うことができる。
【００５０】
なお、本発明の自立型キャビネットにおいては、キャビネット本体２の底部４側において、この底部４の下面にアジャスタボルト３の下端部５が納まる凹段部６を形成してもよい。又、キャビネット本体２の底部４にネジ孔を穿設し、このネジ孔にアジャスタボルト３を直接に螺合させてもよく、又、ベース１にネジ孔を穿設し、このネジ孔にボルト９を直接にネジ固定してもよい。そして、本発明の自立型キャビネットでは、従来のように薄板片を用いた水平出し調整作業が不要で、ベース１を床面Ｆとなるシステムフロアー内に埋設するような、サーバー機器を組み込むための情報ラック等としてキャビネット本体２を使用する場合に特に有効となる。
【００５１】
【発明の効果】
上述の如く、本発明の請求項１記載の自立型キャビネットにおいては、キャビネット本体の高さ調整を簡単に行うことができ、しかも、高さ調整が行われた同キャビネット本体は、その底部がベースに対して引き付けられるよう直接にネジ固定されて、強固に安定状態で固定され、アジャスタボルトの螺合部位での緩みも防止されて確実に高さ調整される。
【００５２】
又、本発明の請求項２記載の自立型キャビネットにおいては、特に、アジャスタボルトを螺合進退動作させて簡単に高さ調整を行うことができ、しかも、同アジャスタボルトの下端部での摩擦抵抗力は、キャビネット本体の底部がベースに対し引き付けられるようネジ固定されることで増大され、このキャビネット本体のずれ動きは確実に防止される。
【００５３】
又、本発明の請求項３記載の自立型キャビネットにおいては、特に、キャビネット本体の底部に配設された各アジャスタボルトにより、このキャビネット本体はその傾き修正が行われて確実に支持され、ベース上に同キャビネット本体は違和感なく外観良好に納まるよう設置固定される。
【００５４】
又、本発明の請求項４記載の自立型キャビネットにおいては、特に、凹段部で各アジャスタボルトの下端部が位置決めして当接支持され、各アジャスタボルトの下端部は同凹段部に納まり、キャビネット本体の底部とベースとの隙間を小さく抑えることができて納まり外観はより良好となり、このキャビネット本体を同ベース上の所定の位置に正確且つ簡単に載置固定することもできる。
【００５５】
又、本発明の請求項５記載の自立型キャビネットにおいては、特に、上下いずれかの操作部を回動させて、キャビネット本体の内部からでも下側外側方からでも簡単に高さ調整作業を行うことができ、使い勝手は良好となる。
【００５６】
又、本発明の請求項６記載の自立型キャビネットにおいては、特に、カバー部材によってアジャスタボルトの露出部分が隠し納められ、納まり外観はより良好となり、同カバー部材を着脱させて容易に高さ調整作業を行うこともできる。
【００５７】
又、本発明の請求項７記載の自立型キャビネットにおいては、特に、キャビネット本体が凹段部の周辺近傍位置でボルトとナットとによりネジ固定されて、ベースと同キャビネット本体の底部とは相互に近接状態で強固に結合され、両者の間でアジャスタボルトが強く押圧挟持されて、その螺合部位での緩みも確実に防止される。
【００５８】
又、本発明の請求項８記載の自立型キャビネットにおいては、特に、キャビネット本体とベースとの間での電気絶縁性が保持され、摩擦抵抗力の増大によりアジャスタボルトの下端部のずれ動きも確実に防止され、この下端部は水平方向回動自在で当接支持状態にあっても、支障なく同アジャスタボルトを螺合進退動作させて高さ調整作業を行うことができる。
【図面の簡単な説明】
【図１】本発明の一実施形態である自立型キャビネットの要部を示す断面図。
【図２】同自立型キャビネットにおけるベースを示す平面図。
【図３】同自立型キャビネットの全体を示す（ａ）は正面図、（ｂ）は側面図。
【図４】同自立型キャビネットの要部を切欠して示す一部斜視断面図。
【図５】従来例である自立型キャビネットの全体を示す（ａ）は正面図、（ｂ）は側面図。
【図６】別の従来例である自立型キャビネットの全体を示す（ａ）は正面図、（ｂ）は側面図。
【図７】更に別の従来例である自立型キャビネットにおける（ａ）はその要部を示す断面図、（ｂ）はその部材となる固定金具及び鍔付ナットを示す斜視図。
【符号の説明】
１  ベース
２  キャビネット本体
３  アジャスタボルト
４  底部
５  下端部
６  凹段部
７  操作部
８  カバー部材
９  ボルト
１０  ナット
Ｆ  床面
【図１】
2004173721.tif 000003
【図２】
2004173721.tif 000004
【図３】
2004173721.tif 000005
【図４】
2004173721.tif 000006
【図５】
2004173721.tif 000007
【図６】
2004173721.tif 000008
【図７】
2004173721.tif 000009